(57)【要約】【課題】隅棟部等に用いる形状の瓦において、予め設ける釘穴の数を最小限にすることで、通常の瓦と同様に製造が可能であると共に、十分な強度を有する瓦を提供すること。【解決手段】上辺，左辺，右辺，下辺の四辺を有する瓦本体１１０と、左側に隣接する瓦の右辺が位置する第１基準線１２１と、右側に隣接する瓦の左辺が位置する第２基準線１２２と、下側に隣接する瓦の上辺が位置する第３基準線１２３と、瓦本体１１０の下辺の中央部と左辺の中央部とを結ぶ第４基準線１２４と、下辺の中央部と右辺の中央部とを結ぶ第５基準線１２５とを具備し、瓦本体１１０に設けられ、第１基準線１２１，第３基準線１２３及び第４基準線１２４に囲まれた第１領域Ｒ１に設けられた第１釘穴１３１と、第２基準線１２２，第３基準線１２３及び第５基準線１２５に囲まれた第２領域Ｒ３に設けられた第２釘穴１３２とを備えている。【選択図】図２
2013237997.tif 000002
【特許請求の範囲】
【請求項１】
少なくとも左側・右側・下側に隣接する瓦との重なり部分を有して千鳥葺きされる瓦において、
上面視で互いに直交する上辺，左辺，右辺，下辺の四辺を有する瓦本体と、
上記瓦本体の上記左辺側に位置し、左側に隣接する瓦の右辺が位置する第１基準線と、
上記瓦本体の上記右辺側に位置し、右側に隣接する瓦の左辺が位置する第２基準線と、
上記瓦本体の上記下辺側に位置し、下側に隣接する瓦の上辺が位置する第３基準線と、
上記瓦本体の下辺の中央部と上記左辺の中央部とを結ぶ第４基準線と、
上記瓦本体の下辺の中央部と上記右辺の中央部とを結ぶ第５基準線とを具備し、
上記瓦本体に設けられ、上記第１基準線，上記第３基準線及び上記第４基準線に囲まれた第１領域に設けられた第１釘穴と、
上記瓦本体に設けられ、上記第２基準線，上記第３基準線及び上記第５基準線に囲まれた第２領域に設けられた第２釘穴とを備えていることを特徴とする瓦。
【請求項２】
上記第４基準線及び上記第５基準線に対して平行に切断の基準となる条線が形成されていることを特徴とする請求項１に記載の瓦。
【請求項３】
少なくとも左側・右側・下側に隣接する瓦との重なり部分を有して筋葺きされる瓦において、
上面視で互いに直交する上辺，左辺，右辺，下辺の四辺を有する瓦本体と、
上記瓦本体の上記左辺側に位置し、左側に隣接する瓦の右辺が位置する第１基準線と、
上記瓦本体の上記右辺側に位置し、右側に隣接する瓦の左辺が位置する第２基準線と、
上記瓦本体の上記下辺側に位置し、下側に隣接する瓦の上辺が位置する第３基準線と、
上記瓦本体の下辺の中央部と上記左辺の中央部とを結ぶ第４基準線と、
上記瓦本体の下辺の中央部と上記右辺の中央部とを結ぶ第５基準線とを具備し、
上記瓦本体に設けられ、上記第１基準線，上記第３基準線及び上記第４基準線に囲まれた領域又は上記第１基準線と上記第３基準線との交点の右下側の領域に設けられた第１釘穴と、
上記瓦本体に設けられ、上記第２基準線，上記第３基準線及び上記第５基準線に囲まれた第２領域に設けられた第２釘穴とを備えていることを特徴とする瓦。
【請求項４】
上記第４基準線及び上記第５基準線に対して平行に切断の基準となる条線が形成されていることを特徴とする請求項３に記載の瓦。
【発明の詳細な説明】
【技術分野】
【０００１】
本発明は、屋根の形状・寸法に合わせて切断し、また確実に屋根面に留めつけることが可能な瓦に関する。
【背景技術】
【０００２】
瓦は、耐震性、耐風性を向上させるために、釘穴が予め設けられ、この釘穴に釘、ビス、銅線等の緊結材を使用して屋根面（躯体）に留めつけている。瓦は、隅棟部、大棟部、谷部、ケラバ部等、屋根面の端部では、寸法を合わせるために、瓦をカットして使用している。
【０００３】
このため、瓦のカット位置によっては、釘穴が無い瓦を屋根に施工することがある。このような場合、釘穴の無いカット瓦に、ドリル等を用いて新たに釘穴を開けて、緊結材で屋根面に留めつけている。
【０００４】
一方、棟部においては、土やなんばん、モルタル等を使用するため、カット瓦に穴を開けず、緊結せずに土などで固めるだけの施工も行われている。
【０００５】
このように土等で固めただけのカット瓦によって構成された棟部では、大きい地震によって、カット瓦がずれ落ち棟部が崩れることがある。特に隅棟部ではカットした隅瓦がずれ落ち、隅棟部が崩れることがある。また、釘穴を開ける場合は手間がかかり、コスト上昇になるという問題もある。
【０００６】
このため、瓦裏面に多数の釘穴（未貫通釘穴）を予め成形することで、様々な大きさにカットされても、常にカット位置に近い部分に釘穴が位置させることができ、隅瓦として使用できる例が知られている（例えば、特許文献１参照。）。
【先行技術文献】
【特許文献】
【０００７】
【特許文献１】特開平０９−１５８４０４号公報
【発明の概要】
【発明が解決しようとする課題】
【０００８】
上述した瓦では、次のような問題があった。すなわち、多数の釘穴を予め施した瓦を成形することは製造上の問題があり、多数の釘穴を設けることで瓦の強度が弱くなる等の問題がある。
【０００９】
そこで本発明は、隅棟部等に用いる形状の瓦において、予め設ける釘穴の数を最小限にすることで、通常の瓦と同様に製造が可能であると共に、十分な強度を有する瓦を提供することを目的としている。
【課題を解決するための手段】
【００１０】
前記課題を解決し目的を達成するために、本発明の瓦は次のように構成されている。
【００１１】
少なくとも左側・右側・下側に隣接する瓦との重なり部分を有して千鳥葺きされる瓦において、上面視で互いに直交する上辺，左辺，右辺，下辺の四辺を有する瓦本体と、上記瓦本体の上記左辺側に位置し、左側に隣接する瓦の右辺が位置する第１基準線と、上記瓦本体の上記右辺側に位置し、右側に隣接する瓦の左辺が位置する第２基準線と、上記瓦本体の上記下辺側に位置し、下側に隣接する瓦の上辺が位置する第３基準線と、上記瓦本体の下辺の中央部と上記左辺の中央部とを結ぶ第４基準線と、上記瓦本体の下辺の中央部と上記右辺の中央部とを結ぶ第５基準線とを具備し、上記瓦本体に設けられ、上記第１基準線，上記第３基準線及び上記第４基準線に囲まれた領域又は上記第１基準線と上記第３基準線との交点の右下側の領域に設けられた第１釘穴と、上記瓦本体に設けられ、上記第２基準線，上記第３基準線及び上記第５基準線に囲まれた第２領域に設けられた第２釘穴とを備えていることを特徴とする。
【００１２】
少なくとも左側・右側・下側に隣接する瓦との重なり部分を有して筋葺きされる瓦において、上面視で互いに直交する上辺，左辺，右辺，下辺の四辺を有する瓦本体と、上記瓦本体の上記左辺側に位置し、左側に隣接する瓦の右辺が位置する第１基準線と、上記瓦本体の上記右辺側に位置し、右側に隣接する瓦の左辺が位置する第２基準線と、上記瓦本体の上記下辺側に位置し、下側に隣接する瓦の上辺が位置する第３基準線と、上記瓦本体の下辺の中央部と上記左辺の中央部とを結ぶ第４基準線と、上記瓦本体の下辺の中央部と上記右辺の中央部とを結ぶ第５基準線とを具備し、上記瓦本体に設けられ、上記第１基準線，上記第３基準線及び上記第４基準線に囲まれた領域又は上記第１基準線と上記第３基準線との交点の右下側の領域に設けられた第１釘穴と、上記瓦本体に設けられ、上記第２基準線，上記第３基準線及び上記第５基準線に囲まれた第２領域に設けられた第２釘穴とを備えていることを特徴とする。
【発明の効果】
【００１３】
本発明によれば、隅棟部等に用いる形状の瓦において、予め設ける釘穴の数を最小限にすることで、通常の瓦と同様に製造が可能であると共に、十分な強度を維持することが可能となる。
【図面の簡単な説明】
【００１４】
【図１】本発明の第１の実施の形態に係る瓦を千鳥葺きした棟構造を模式的に示す平面図。
【図２】同瓦を示す上面図。
【図３Ａ】同瓦の左側をカットする場合の第１のカット位置を示す上面図。
【図３Ｂ】同瓦の左側をカットする場合の第２のカット位置を示す上面図。
【図３Ｃ】同瓦の左側をカットする場合の第３のカット位置を示す上面図。
【図４Ａ】同瓦の右側をカットする場合の第１のカット位置を示す上面図。
【図４Ｂ】同瓦の右側をカットする場合の第２１のカット位置を示す上面図。
【図４Ｃ】同瓦の右側をカットする場合の第３のカット位置を示す上面図。
【図５】本発明の第２の実施の形態に係る瓦を筋葺きした棟構造を模式的に示す平面図。
【図６】同瓦を示す上面図。
【図７Ａ】同瓦の左側をカットする場合の第１のカット位置を示す上面図。
【図７Ｂ】同瓦の左側をカットする場合の第２のカット位置を示す上面図。
【図７Ｃ】同瓦の左側をカットする場合の第３のカット位置を示す上面図。
【図７Ｄ】同瓦の左側をカットする場合の第４のカット位置を示す上面図。
【図７Ｅ】同瓦の左側をカットする場合の第５のカット位置を示す上面図。
【図８Ａ】同瓦の右側をカットする場合の第１のカット位置を示す上面図。
【図８Ｂ】同瓦の右側をカットする場合の第２のカット位置を示す上面図。
【図８Ｃ】同瓦の右側をカットする場合の第３のカット位置を示す上面図。
【図８Ｄ】同瓦の右側をカットする場合の第４のカット位置を示す上面図。
【図８Ｅ】同瓦の右側をカットする場合の第５のカット位置を示す上面図。
【図９】本発明の第３の実施の形態に係る瓦を筋葺きした棟構造を模式的に示す平面図。
【図１０】本発明の第４の実施の形態に係る瓦を筋葺きした棟構造を模式的に示す屋根面図。
【図１１】本発明の第５の実施の形態に係る瓦を筋葺きした棟構造を模式的に示す屋根面図。
【図１２】本発明の第６の実施の形態に係る瓦を筋葺きした隅棟部の要部を示す斜視図。
【発明を実施するための形態】
【００１５】
図１は本発明の第１の実施の形態に係る瓦１００を千鳥葺きした棟構造１０を模式的に示す平面図、図２は瓦１００を示す上面図、図３Ａ〜図３Ｃは、瓦１００の左側をカットする場合のカット位置を示す上面図、図４Ａ〜４Ｃは、瓦１００の右側をカットする場合のカット位置を示す上面図である。なお、図中に示す数値は参考寸法であり、単位はｍｍである。
【００１６】
図１に示すように、棟構造１０は、隅棟部２０を有している。棟構造１０の勾配は、４．５／１０である。瓦１００は、葺いた状態で表面に露出している寸法が幅がＷ、奥行がＨ、上方から投影した場合の奥行がＨ′である。また、Ｈ′＝（５／６）Ｗの関係にある。瓦１００は、左側・右側・下側に隣接する瓦１００との重なり部分を有しており、千鳥葺きされるタイプのものである。なお、隅棟部２０においては、瓦１００は、後述する左辺１１２側の所定位置でカットされた隅瓦の状態で設置されている。具体的には、隅瓦Ｐ１，Ｐ２，Ｐ３の３種類である。
【００１７】
瓦１００は、平面視でほぼ矩形状の瓦本体１１０を有している。
【００１８】
瓦本体１１０は、上面視で互いに直交する上辺１１１，左辺１１２，右辺１１３，下辺１１４の四辺を有している。瓦本体１１０には、左辺１１２側に位置し、左側に隣接する瓦１００Ａの右辺が位置する第１基準線１２１と、瓦本体１１０の右辺１１３側に位置し、右側に隣接する瓦１００Ｂの左辺が位置する第２基準線１２２と、瓦本体１１０の下辺１１４側に位置し、下側に隣接する瓦１００Ｃ，１００Ｄの上辺が位置する第３基準線１２３と、瓦本体１１０の下辺１１４の中央部と左辺１１２の中央部とを結ぶ第４基準線１２４と、瓦本体１１０の下辺１１４の中央部と右辺１１３の中央部とを結ぶ第５基準線１２５とを具備している。
【００１９】
瓦本体１１０に設けられ、第１基準線１２１，第３基準線１２３及び第４基準線１２４に囲まれた領域Ｒ１には第１釘穴１３１が設けられている。また、第２基準線１２２，第３基準線１２３及び第５基準線１２５に囲まれた第２領域Ｒ２には第２釘穴１３２が設けられている。
【００２０】
第１釘穴１３１及び第２釘穴１３２は、瓦本体１１０の第１基準線１２１，第２基準線１２２，第３基準線１２３の内側に設けられているため、釘を貫通させた場合であっても、左側，右側，下側に隣接する各瓦１００Ａ〜１００Ｄに干渉することなく、野地板に緊結することになる。
【００２１】
瓦本体１１０の裏面には、第４基準線１２４及び第５基準線１２５に対し平行に、切断位置を示すための６本の条線（筋状の溝）１４１〜１４３，１５１〜１５３が設けられている。条線１４１〜１４３は、第５基準線１２５と平行に形成されている。条線１５１〜１５３は、第４基準線１２４と平行に形成されている。
【００２２】
次に、隅瓦Ｐ１〜Ｐ３、Ｑ１〜Ｑ３について説明する。隅瓦Ｐ１〜Ｐ３、Ｑ１〜Ｑ３とは、隅棟部２０の形状に沿って配置される通常とは異なる瓦であり、瓦１００を条線１４１〜１４３，１５１〜１５３において切断して形成する。
【００２３】
図３Ａ〜図３Ｃに示すように、隅瓦Ｐ１は、瓦１００を条線１４１で切断して形成されたものであり、隅瓦Ｐ２は、瓦１００を条線１４２で切断して形成されたものであり、隅瓦Ｐ３は、瓦１００を条線１４３で切断して形成されたものである。
【００２４】
図４Ａ〜図４Ｃに示すように、隅瓦Ｑ１は、瓦１００を条線１５１で切断して形成されたものであり、隅瓦Ｑ２は、瓦１００を条線１５２で切断して形成されたものであり、隅瓦Ｑ３は、瓦１００を条線１５３で切断して形成されたものである。
【００２５】
次に、瓦１００を棟構造に用いる場合について説明する。図１に示すように、棟構造１０においては瓦１００は、隅棟部２０において隅瓦Ｐ１，Ｐ２，Ｐ３として使用されている。
【００２６】
瓦１００は水平方向に並べていき、尻部釘穴、もしくは、第１釘穴１３１及び第２釘穴１３２を用いて野地板に緊結する。この時、第１釘穴１３１及び第２釘穴１３２は、隣接した瓦に干渉しない位置に形成されているため、野地板に直接緊結される。そして左方の隅棟部２０に到達した時点で、適当な隅瓦Ｐ１〜Ｐ３を選択する。隅瓦Ｐ１，Ｐ２は、領域Ｒ２に第２釘穴１３２が形成されているため、野地板に緊結可能である。また、隅瓦Ｐ３の場合には、釘穴が存在しないが、隅棟部２０に配置される隅棟瓦（不図示）によって隠されるため、接着剤等で隣接する瓦に直接取り付けてもよい。
【００２７】
なお、瓦１００の右方が隅棟部２０となる場合は、隅瓦Ｑ１，Ｑ２，Ｑ３を用いる。隅瓦Ｑ１，Ｑ２は、領域Ｒ１に第１釘穴１３１が形成されているため、野地板に緊結可能である。また、隅瓦Ｑ３の場合には、釘穴が存在しないが、隅棟部２０に配置される隅棟瓦（不図示）によって隠されるため、接着剤等で隣接する瓦に直接取り付けてもよい。
【００２８】
本実施の形態に示すように、隅棟部２０に用いる隅瓦Ｐ１〜Ｐ３，Ｑ１〜Ｑ３は、瓦１００に設ける釘穴を第１釘穴１３１及び第２釘穴１３２の２本とすることで、通常の瓦と同様に製造が可能であると共に、十分な強度を維持することが可能となる。したがって、製造に用いる金型や製造ラインは同じものを用いることができ、追加の設備費を最小限に抑えることが可能である。また、条線が設けられているため、切断位置の位置決めを行い易い。さらに、切断位置を６〜１０箇所程度に減らすことができるため、現場で切断せずに工場等で一定数切断を行っておき、ストックしておくことが可能である。このため、作業をさらに容易化することができる。
【００２９】
なお、第１釘穴１３１及び第２釘穴１３２は、必ずしも貫通させたものでなくてもよい。また、条線の数は、合計６本に限られず、隅棟の傾斜等に合わせて適宜増減してもよい。
【００３０】
図５は本発明の第２の実施の形態に係る瓦２００を筋葺きした棟構造１０Ａを模式的に示す平面図、図６は瓦２００を示す上面図、図７Ａ〜図７Ｅは瓦２００の左側をカットする場合の第５のカット位置を示す上面図、図８Ａ〜図８Ｅは瓦２００の右側をカットする場合のカット位置を示す上面図である。なお、図中に示す数値は参考寸法であり、単位はｍｍである。
【００３１】
図５に示すように、棟構造１０Ａは、隅棟部２０Ａを有している。棟構造１０Ａの勾配は、５／１０である。瓦２００は、葺いた状態で表面に露出している寸法が幅がＴ、奥行がＥ、上方から投影した場合の奥行がＥ′である。また、Ｅ′＝（４／５）Ｔの関係にある。瓦２００は、左側・右側・下側に隣接する瓦２００との重なり部分を有しており、筋葺きされるタイプのものである。なお、隅棟部２０Ａにおいては、瓦２００は、後述する左辺２１２側の所定位置でカットされた隅瓦の状態で設置されている。具体的には、隅瓦Ｋ１，Ｋ２，Ｋ３，Ｋ４，Ｋ５の５種類である。
【００３２】
瓦２００は、平面視でほぼ矩形状の瓦本体２１０を有している。
【００３３】
瓦本体２１０は、上面視で互いに直交する上辺２１１，左辺２１２，右辺２１３，下辺２１４の四辺を有している。瓦本体２１０には、左辺２１２側に位置し、左側に隣接する瓦２００Ａの右辺が位置する第１基準線２２１と、瓦本体２１０の右辺２１３側に位置し、右側に隣接する瓦２００Ｂの左辺が位置する第２基準線２２２と、瓦本体２１０の下辺２１４側に位置し、下側に隣接する瓦２００Ｃの上辺が位置する第３基準線２２３と、瓦本体２１０の下辺２１４の中央部と左辺２１２の中央部とを結ぶ第４基準線２２４と、瓦本体２１０の下辺２１４の中央部と右辺２１３の中央部とを結ぶ第５基準線２２５とを具備している。
【００３４】
瓦本体２１０に設けられ、第１基準線２２１，第３基準線２２３及び第４基準線２２４に囲まれた領域及び第１基準線２２１と第３基準線２２３との交点の右下側の領域である第１領域Ｒ３には第１釘穴２３１が設けられている。また、第２基準線２２２，第３基準線２２３及び第５基準線２２５に囲まれた第２領域Ｒ４には第２釘穴２３２が設けられている。
【００３５】
第１釘穴２３１及び第２釘穴２３２は、瓦本体２１０の第１基準線２２１，第２基準線２２２，第３基準線２２３の内側に設けられているため、釘を貫通させた場合であっても、左側，右側，下側に隣接する各瓦２００Ａ〜２００Ｃに干渉することなく、野地板に緊結することになる。なお、第１基準線２２１と第３基準線２２３との交点の右下側の領域は、下方に隣接する２つの瓦の隙間に位置するため、釘が野地板まで通る。
【００３６】
瓦本体２１０の裏面には、第４基準線２２４及び第５基準線２２５に対し平行に、切断位置を示すための１０本の条線（筋状の溝）２４１〜２４５，２５１〜２５５が設けられている。条線２４１〜２４５は、第５基準線２２５と平行に形成されている。条線２５１〜２５４は、第４基準線２２４と平行に形成されている。
【００３７】
次に、隅瓦Ｋ１〜Ｋ５、Ｌ１〜Ｌ５について説明する。隅瓦Ｋ１〜Ｋ５、Ｌ１〜Ｌ５とは、隅棟部２０Ａの形状に沿って配置される通常とは異なる瓦であり、瓦２００を条線２４１〜２４５，２５１〜２５５において切断して形成する。
【００３８】
図７Ａ〜図７Ｅに示すように、隅瓦Ｋ１は、瓦２００を条線２４１で切断して形成されたものであり、隅瓦Ｋ２は、瓦２００を条線２４２で切断して形成されたものであり、隅瓦Ｋ３は、瓦２００を条線２４３で切断して形成されものであり、隅瓦Ｋ４は、瓦２００を条線２４４で切断して形成されたものであり、隅瓦Ｋ５は、瓦２００を条線２４５で切断して形成されたものである。
【００３９】
図８Ａ〜図８Ｃに示すように、隅瓦Ｌ１は、瓦２００を条線２５１で切断して形成されたものであり、隅瓦Ｌ２は、瓦２００を条線２５２で切断して形成されたものであり、隅瓦Ｌ３は、瓦２００を条線２５３で切断して形成されものであり、隅瓦Ｌ４は、瓦２００を条線２５４で切断して形成されたものであり、隅瓦Ｌ５は、瓦２００を条線２５５で切断して形成されたものである。
【００４０】
次に、瓦２００を棟構造に用いる場合について説明する。図５に示すように、棟構造１０Ａにおいては瓦２００は、隅棟部２０Ａにおいて隅瓦Ｋ１〜Ｋ５として使用されている。
【００４１】
瓦２００は水平方向に並べていき、尻部釘穴、もしくは、第１釘穴２３１及び第２釘穴２３２を用いて野地板に緊結する。この時、第１釘穴２３１及び第２釘穴２３２は、隣接した瓦に干渉しない位置に形成されているため、野地板に直接緊結される。そして左方の隅棟部２０に到達した時点で、適当な隅瓦Ｋ１〜Ｋ５を選択する。隅瓦Ｋ１〜Ｋ４は、第２領域Ｒ４に第２釘穴２３２が形成されているため、野地板に緊結可能である。また、隅瓦Ｋ５の場合には、釘穴が存在しないが、隅棟部２０Ａに配置される隅棟瓦（不図示）によって隠されるため、接着剤等で隣接した瓦に直接取り付けてもよい。
【００４２】
なお、瓦２００の右方が隅棟部２０Ａとなる場合は、隅瓦Ｌ１〜Ｌ５を用いる。隅瓦Ｌ１〜Ｌ４は、第１領域Ｒ３に第１釘穴２３１が形成されているため、野地板に緊結可能である。また、隅瓦Ｌ５の場合には、釘穴が存在しないが、隅棟部２０Ａに配置される隅棟瓦（不図示）によって隠されるため、接着剤等で野地板に直接取り付けてもよい。
【００４３】
本実施の形態に示すように、隅棟部２０Ａに用いる隅瓦Ｋ１〜Ｋ５、Ｌ１〜Ｌ５は、瓦２００に設ける釘穴を第１釘穴２３１及び第２釘穴２３２の２本とすることで、通常の瓦と同様に製造が可能であると共に、十分な強度を維持することが可能となる。
【００４４】
なお、第１釘穴２３１及び第２釘穴２３２は、必ずしも貫通させたものでなくてもよい。また、条線の数は、合計１０本に限られず、隅棟の傾斜等に合わせて適宜増減してもよい。
【００４５】
本実施の形態に係る瓦２００においても、上述した瓦１００と同様の効果を得ることができる。
【００４６】
図９は本発明の第３の実施の形態に係る瓦２００を筋葺きした棟構造１０Ｂを模式的に示す屋根面図である。棟構造１０Ｂは、棟構造２０Ａと同じ勾配のものであるが、隅棟部２０Ｂに隙間ができず、同様に適用することが可能である。
【００４７】
図１０は本発明の第４の実施の形態に係る瓦２００を筋葺きした棟構造１０Ｃを模式的に示す屋根面図である。棟構造１０Ｃは、棟構造２０Ａに対し、傾斜が変わったものであり、隅棟部２０Ｃに多少の隙間ができるが、隅棟瓦（不図示）によって隠される位置にあるため、同様に適用することが可能である。
【００４８】
図１１は本発明の第５の実施の形態に係る瓦２００を筋葺きした棟構造１０Ｄを模式的に示す屋根面図である。棟構造１０Ｄは、棟構造２０Ａに対し、傾斜が変わったものであり、隅棟部２０Ｄに多少の隙間ができるが、隅棟瓦（不図示）によって隠される位置にあるため、同様に適用することが可能である。
【００４９】
図１２は本発明の第６の実施の形態に係る瓦１００を筋葺きした棟構造１０Ｅの要部を示す斜視図である。棟構造１０Ｅにおいては、野地板の変わりに桟板３００を用いることで、野地板に直接釘を貫通させる必要がなく、防水効果を高めることができる。
【００５０】
なお、本発明は前記実施の形態に限定されるものではなく、本発明の要旨を逸脱しない範囲で種々変形実施可能であるのは勿論である。
【符号の説明】
【００５１】
１０，１０Ａ〜１０Ｅ…棟構造、２０，２０Ａ〜２０Ｄ…隅棟部、１００，２００…瓦、１１０，２１０…瓦本体、Ｐ１〜Ｐ３，Ｑ１〜Ｑ３，Ｋ１〜Ｋ５，Ｌ１〜Ｌ５…隅瓦。
【図１】
2013237997.tif 000003
【図２】
2013237997.tif 000004
【図３Ａ】
2013237997.tif 000005
【図３Ｂ】
2013237997.tif 000006
【図３Ｃ】
2013237997.tif 000007
【図４Ａ】
2013237997.tif 000008
【図４Ｂ】
2013237997.tif 000009
【図４Ｃ】
2013237997.tif 000010
【図５】
2013237997.tif 000011
【図６】
2013237997.tif 000012
【図７Ａ】
2013237997.tif 000013
【図７Ｂ】
2013237997.tif 000014
【図７Ｃ】
2013237997.tif 000015
【図７Ｄ】
2013237997.tif 000016
【図７Ｅ】
2013237997.tif 000017
【図８Ａ】
2013237997.tif 000018
【図８Ｂ】
2013237997.tif 000019
【図８Ｃ】
2013237997.tif 000020
【図８Ｄ】
2013237997.tif 000021
【図８Ｅ】
2013237997.tif 000022
【図９】
2013237997.tif 000023
【図１０】
2013237997.tif 000024
【図１１】
2013237997.tif 000025
【図１２】
2013237997.tif 000026